(57)【要約】【課題】本発明は正答なら奨励するデジタルおもちゃを開示した。【解決手段】主体を含み、前記主体の前端面の上側にはディスプレイ画面が固定的に設置され、前記主体の前端面の下側にはキーボードが固定的に設置され、前記ディスプレイ画面の後側には切替え装置が設置され、前記切替装置の下側には輸送装置が設置され、前記輸送装置の後側には制御装置が設置され、前記ディスプレイ画面を通じて問題を映りだし、且つ前記キーボードを通じて答えを入力し、本装置は子供の答えにより自動的に賞品で子供を奨励し、おもちゃで遊ぶ形式を利用して子供を励まし、同時に賞品を通して子供の勉強への熱心さを高める。【選択図】図１
2020175104.tif 000002
【特許請求の範囲】
【請求項１】
主体を含み、前記主体の前端面の上側にはディスプレイ画面が固定的に設置され、前記主体の前端面の下側にはキーボードが固定的に設置され、前記ディスプレイ画面の後側には切替え装置が設置され、前記切替装置の下側には輸送装置が設置され、前記輸送装置の後側には制御装置が設置され、前記ディスプレイ画面を通じて問題を映りだし、且つ前記キーボードを通じて答えを入力し、父兄はニーズに応じて前記切替装置の中に賞品を置くことができ、一つの問題を解くと前記切替装置が一回作動し、正答であれば相応の賞品が前記輸送装置を通して下へ輸送されて落ち、誤答であれば賞品を次の問題の賞品に切り換え、前記切替装置と前記輸送装置の作動は前記制御装置により制御され、前記切替装置は前記主体の中に設置された切換チャンバを含み、前記切換チャンバの前側には前方に開口した開口チャンバが連通するように設置され、前記開口チャンバの下壁には固定板が固定的に設置され、前記固定板と前記切換チャンバの後壁との間にはローラーが上下対称的に、且つ回転できるように設置され、前記ローラーの間には伝送ベルトが巻き付いており、前記伝動ベルトのうち前記ローラーから離れている一面には均一に分布している仕切り板が固定的に設置され、前記仕切り板が前記切換チャンバを複数個の区域に分けて複数個のプレセントを置き、前記開口チャンバの下壁には止め板チャンバが連通するように設置され、前記止め板チャンバの中には止め板がスライドできるように設置され、前記止め板の下端と前記止め板チャンバの下壁との間には圧縮ばねが固定的に連結され、前記止め板の前端面の上端には取っ手が固定的に連結されており、
前記制御装置が前記切換装置と前記輸送装置とを制御して前記切換装置と前記輸送装置とに賞品の切替と輸送を行わせ、賞品を需要に応じて置くことができ、前記止め板を下へ引くと前記切換チャンバの中にプレゼントを置け、前記仕切り板がプレゼントを問題に応じて一番下に輸送することを特徴とする正答なら奨励するデジタルおもちゃ。
【請求項２】
前記輸送装置は前記切換チャンバの下側に連通するように設置された昇降チャンバを含み、前記昇降チャンバの下側には反転チャンバが連通するように設置され、前記昇降チャンバの中には昇降ブロックがスライドできるように設置され、前記昇降ブロックの下端と前記反転チャンバの下壁との間には耐圧ばねが固定的に連結され、前記昇降チャンバと前記反転チャンバの後側にはガイドスライドチャンバが連通するように設置され、前記ガイドスライドチャンバの中には前記昇降ブロックの後端に固定的に連結されたガイドスライドブロックがスライドできるように設置され、前記昇降ブロックの上側には受け止めブロックが反転できるように設置され、前記受け止めブロックの下端面の左端が前記昇降ブロックの上端面の左端に回転できるように連結され、前記昇降ブロックの中には上方に開口したばねチャンバが設置され、前記受け止めブロックの下端と前記ばねチャンバの下壁との間には反転ばねが固定的に連結され、前記反転チャンバの右壁には固定ブロックが固定的に設置され、前記反転チャンバの左側には滑り落ちチャンバが連通するように設置され、前記滑り落ちチャンバの左側には左方に開口した取りチャンバが連通するように設置されており、
前記受け止めブロックが前記ローラーの中の一番下のプレゼントを受け止め、前記昇降ブロックが下降してプレゼントを下へ輸送することを特徴とする請求項１に記載の正答なら奨励するデジタルおもちゃ。
【請求項３】
前記制御装置は前記ガイドスライドチャンバの上側に連通するように設置された伸縮チャンバを含み、前記伸縮チャンバの中には下端が前記ガイドスライドブロックと当接できる伸縮ロッドがスライドできるように設置され、前記伸縮ロッドの中には上方に開口したねじ山チャンバが設置され、前記伸縮チャンバの上壁の中にはモータが固定的に設置され、前記モータの下端には前記ねじ山チャンバの中にねじ山により連結されたねじロッドが動力が伝達できるように連結され、前記伸縮ロッドの右端面の中にはラックが固定的に設置され、前記伸縮チャンバの右壁には伝動チャンバが連通するように設置され、前記伝動チャンバの中には前記ラックと噛み合える平歯車が回転できるように設置され、前記平歯車の前端には内ラチェットギヤが固定的に設置され、前記内ラチェットギヤの前端にはラチェットギヤが片方向に噛み合って設置され、前記ラチェットギヤの前端には主動傘歯車が固定的に設置され、前記主動傘歯車の右端には主動傘歯車自体と噛み合う従動傘歯車が設置され、前記従動傘歯車が下側の前記ローラーの左端に動力が伝達できるように連結されており、
前記モータが前記伸縮ロッドを昇降連動させ、且つ前記ローラーの回転又は前記昇降ブロックの昇降を制御することを特徴とする請求項１に記載の正答なら奨励するデジタルおもちゃ。
【発明の詳細な説明】
【技術分野】
【０００１】
本発明はおもちゃ技術分野に関わり、具体的には正答なら奨励するデジタルおもちゃである。
【背景技術】
【０００２】
おもちゃは子供たちに楽しさをもたらすだけではなく、おもちゃを通じて子供の総合能力を高めることもでき、現在、多くのおもちゃが子供の算数能力を鍛えられ、しかし、子供は飽きやすく、そのため、正答なら奨励できるデジタルおもちゃが必要となり、本装置は子供の答え情況により賞品で子供を奨励し、子供の積極性を大いに高め、これにより子供をより忍耐強く遊びながら勉強させることができる。
【先行技術文献】
【特許文献】
【０００３】
【特許文献１】中国特許出願公開第103127722号明細書
【発明の概要】
【発明が解決しようとする課題】
【０００４】
本発明は正答なら奨励するデジタルおもちゃを提供し、既存技術にある上記欠点を解消することを目的とする。
【課題を解決するための手段】
【０００５】
本発明の正答なら奨励するデジタルおもちゃは、主体を含み、前記主体の前端面の上側にはディスプレイ画面が固定的に設置され、前記主体の前端面の下側にはキーボードが固定的に設置され、前記ディスプレイ画面の後側には切替え装置が設置され、前記切替装置の下側には輸送装置が設置され、前記輸送装置の後側には制御装置が設置され、前記ディスプレイ画面を通じて問題を映りだし、且つ前記キーボードを通じて答えを入力し、父兄はニーズに応じて前記切替装置の中に賞品を置くことができ、一つの問題を解くと前記切替装置が一回作動し、正答であれば相応の賞品が前記輸送装置を通して下へ輸送されて落ち、誤答であれば賞品を次の問題の賞品に切り換え、前記切替装置と前記輸送装置の作動は前記制御装置により制御され、前記切替装置は前記主体の中に設置された切換チャンバを含み、前記切換チャンバの前側には前方に開口した開口チャンバが連通するように設置され、前記開口チャンバの下壁には固定板が固定的に設置され、前記固定板と前記切換チャンバの後壁との間にはローラーが上下対称的に、且つ回転できるように設置され、前記ローラーの間には伝送ベルトが巻き付いており、前記伝動ベルトのうち前記ローラーから離れている一面には均一に分布している仕切り板が固定的に設置され、前記仕切り板が前記切換チャンバを複数個の区域に分けて複数個のプレセントを置き、前記開口チャンバの下壁には止め板チャンバが連通するように設置され、前記止め板チャンバの中には止め板がスライドできるように設置され、前記止め板の下端と前記止め板チャンバの下壁との間には圧縮ばねが固定的に連結され、前記止め板の前端面の上端には取っ手が固定的に連結されており、
前記制御装置が前記切換装置と前記輸送装置とを制御して前記切換装置と前記輸送装置とに賞品の切替と輸送を行わせ、賞品を需要に応じて置くことができ、前記止め板を下へ引くと前記切換チャンバの中にプレゼントを置け、前記仕切り板がプレゼントを問題に応じて一番下に輸送する。
【０００６】
さらなる技術プランには、前記輸送装置は前記切換チャンバの下側に連通するように設置された昇降チャンバを含み、前記昇降チャンバの下側には反転チャンバが連通するように設置され、前記昇降チャンバの中には昇降ブロックがスライドできるように設置され、前記昇降ブロックの下端と前記反転チャンバの下壁との間には耐圧ばねが固定的に連結され、前記昇降チャンバと前記反転チャンバの後側にはガイドスライドチャンバが連通するように設置され、前記ガイドスライドチャンバの中には前記昇降ブロックの後端に固定的に連結されたガイドスライドブロックがスライドできるように設置され、前記昇降ブロックの上側には受け止めブロックが反転できるように設置され、前記受け止めブロックの下端面の左端が前記昇降ブロックの上端面の左端に回転できるように連結され、前記昇降ブロックの中には上方に開口したばねチャンバが設置され、前記受け止めブロックの下端と前記ばねチャンバの下壁との間には反転ばねが固定的に連結され、前記反転チャンバの右壁には固定ブロックが固定的に設置され、前記反転チャンバの左側には滑り落ちチャンバが連通するように設置され、前記滑り落ちチャンバの左側には左方に開口した取りチャンバが連通するように設置されており、
前記受け止めブロックが前記ローラーの中の一番下のプレゼントを受け止め、前記昇降ブロックが下降してプレゼントを下へ輸送する。
【０００７】
さらなる技術プランには、前記制御装置は前記ガイドスライドチャンバの上側に連通するように設置された伸縮チャンバを含み、前記伸縮チャンバの中には下端が前記ガイドスライドブロックと当接できる伸縮ロッドがスライドできるように設置され、前記伸縮ロッドの中には上方に開口したねじ山チャンバが設置され、前記伸縮チャンバの上壁の中にはモータが固定的に設置され、前記モータの下端には前記ねじ山チャンバの中にねじ山により連結されたねじロッドが動力が伝達できるように連結され、前記伸縮ロッドの右端面の中にはラックが固定的に設置され、前記伸縮チャンバの右壁には伝動チャンバが連通するように設置され、前記伝動チャンバの中には前記ラックと噛み合える平歯車が回転できるように設置され、前記平歯車の前端には内ラチェットギヤが固定的に設置され、前記内ラチェットギヤの前端にはラチェットギヤが片方向に噛み合って設置され、前記ラチェットギヤの前端には主動傘歯車が固定的に設置され、前記主動傘歯車の右端には主動傘歯車自体と噛み合う従動傘歯車が設置され、前記従動傘歯車が下側の前記ローラーの左端に動力が伝達できるように連結されており、
前記モータが前記伸縮ロッドを昇降連動させ、且つ前記ローラーの回転又は前記昇降ブロックの昇降を制御する。
【発明の効果】
【０００８】
本発明の有益な効果は：本発明は構成が簡単で、操作が便利で、本装置は子供の答えにより自動的に賞品で子供を奨励し、おもちゃで遊ぶ形式を利用して子供を励まし、同時に賞品を通して子供の勉強への熱心さを高め、勉強と遊びとをよりよく結びつける。
【図面の簡単な説明】
【０００９】
【図１】図１は本発明の正答なら奨励するデジタルおもちゃの内部全体構成模式図
【図２】図２は図１の中の「Ａ−Ａ」方向の構成模式図
【図３】図３は図２の中の「Ｂ−Ｂ」方向の構成模式図
【図４】図４は図２の中の「Ｃ」の拡大模式図
【図５】図５は図４の中の「Ｄ−Ｄ」方向の構成模式図
【発明を実施するための形態】
【００１０】
次に図１−５を合わせて本発明を詳しく説明する。意思の疎通に便利なため、後文に出る方位を以下の通りに規定する：後文に出る上下左右前後方向は図１本体の投影関係の上下左右前後方向と一致する。
【００１１】
図１−５を参照し、本発明実施例の正答なら奨励するデジタルおもちゃは、主体１１を含み、前記主体１１の前端面の上側にはディスプレイ画面１２が固定的に設置され、前記主体１１の前端面の下側にはキーボード１３が固定的に設置され、前記ディスプレイ画面１２の後側には切替え装置１０１が設置され、前記切替装置１０１の下側には輸送装置１０２が設置され、前記輸送装置１０２の後側には制御装置１０３が設置され、前記ディスプレイ画面１２を通じて問題を映りだし、且つ前記キーボード１３を通じて答えを入力し、父兄はニーズに応じて前記切替装置１０１の中に賞品を置くことができ、一つの問題を解くと前記切替装置１０１が一回作動し、正答であれば相応の賞品が前記輸送装置１０２を通して下へ輸送されて落ち、誤答であれば賞品を次の問題の賞品に切り換え、前記切替装置１０１と前記輸送装置１０２の作動は前記制御装置１０３により制御され、前記切替装置１０１は前記主体１１の中に設置された切換チャンバ１４を含み、前記切換チャンバ１４の前側には前方に開口した開口チャンバ１５が連通するように設置され、前記開口チャンバ１５の下壁には固定板１６が固定的に設置され、前記固定板１６と前記切換チャンバ１４の後壁との間にはローラー１７が上下対称的に、且つ回転できるように設置され、前記ローラー１７の間には伝送ベルト１８が巻き付いており、前記伝動ベルト１８のうち前記ローラー１７から離れている一面には均一に分布している仕切り板１９が固定的に設置され、前記仕切り板１９が前記切換チャンバ１４を複数個の区域に分けて複数個のプレセントを置き、前記開口チャンバ１５の下壁には止め板チャンバ２０が連通するように設置され、前記止め板チャンバ２０の中には止め板２１がスライドできるように設置され、前記止め板２１の下端と前記止め板チャンバ２０の下壁との間には圧縮ばね２２が固定的に連結され、前記止め板２１の前端面の上端には取っ手２３が固定的に連結されており、
前記制御装置１０３が前記切換装置１０１と前記輸送装置１０２とを制御して前記切換装置１０１と前記輸送装置１０２とに賞品の切替と輸送を行わせ、賞品を需要に応じて置くことができ、前記止め板２１を下へ引くと前記切換チャンバ１４の中にプレゼントを置け、前記仕切り板１９がプレゼントを問題に応じて一番下に輸送する。
【００１２】
有益なように、前記輸送装置１０２は前記切換チャンバ１４の下側に連通するように設置された昇降チャンバ２４を含み、前記昇降チャンバ２４の下側には反転チャンバ２５が連通するように設置され、前記昇降チャンバ２４の中には昇降ブロック２６がスライドできるように設置され、前記昇降ブロック２６の下端と前記反転チャンバ２５の下壁との間には耐圧ばね２７が固定的に連結され、前記昇降チャンバ２４と前記反転チャンバ２５の後側にはガイドスライドチャンバ３４が連通するように設置され、前記ガイドスライドチャンバ３４の中には前記昇降ブロック２６の後端に固定的に連結されたガイドスライドブロック３５がスライドできるように設置され、前記昇降ブロック２６の上側には受け止めブロック２８が反転できるように設置され、前記受け止めブロック２８の下端面の左端が前記昇降ブロック２６の上端面の左端に回転できるように連結され、前記昇降ブロック２６の中には上方に開口したばねチャンバ２９が設置され、前記受け止めブロック２８の下端と前記ばねチャンバ２９の下壁との間には反転ばね３０が固定的に連結され、前記反転チャンバ２５の右壁には固定ブロック３１が固定的に設置され、前記反転チャンバ２５の左側には滑り落ちチャンバ３２が連通するように設置され、前記滑り落ちチャンバ３２の左側には左方に開口した取りチャンバ３３が連通するように設置されており、
前記受け止めブロック２８が前記ローラー１７の中の一番下のプレゼントを受け止め、前記昇降ブロック２６が下降してプレゼントを下へ輸送する。
【００１３】
有益なように、前記制御装置１０３は前記ガイドスライドチャンバ３４の上側に連通するように設置された伸縮チャンバ３６を含み、前記伸縮チャンバ３６の中には下端が前記ガイドスライドブロック３５と当接できる伸縮ロッド３７がスライドできるように設置され、前記伸縮ロッド３７の中には上方に開口したねじ山チャンバ３８が設置され、前記伸縮チャンバ３６の上壁の中にはモータ３９が固定的に設置され、前記モータ３９の下端には前記ねじ山チャンバ３８の中にねじ山により連結されたねじロッド４０が動力が伝達できるように連結され、前記伸縮ロッド３７の右端面の中にはラック４１が固定的に設置され、前記伸縮チャンバ３６の右壁には伝動チャンバ４２が連通するように設置され、前記伝動チャンバ４２の中には前記ラック４１と噛み合える平歯車４３が回転できるように設置され、前記平歯車４３の前端には内ラチェットギヤ４４が固定的に設置され、前記内ラチェットギヤ４４の前端にはラチェットギヤ４５が片方向に噛み合って設置され、前記ラチェットギヤ４５の前端には主動傘歯車４６が固定的に設置され、前記主動傘歯車４６の右端には主動傘歯車４６自体と噛み合う従動傘歯車４７が設置され、前記従動傘歯車４７が下側の前記ローラー１７の左端に動力が伝達できるように連結されており、
前記モータ３９が前記伸縮ロッド３７を昇降連動させ、且つ前記ローラー１７の回転又は前記昇降ブロック２６の昇降を制御する。
【００１４】
初期状態にある時、伸縮ロッド３７が中間位置に位置しており、昇降ブロック２６が上限位置に位置しており、止め板２１により開口チャンバ１５が閉鎖されている。
【００１５】
使用する時、取っ手２３により止め板２１を下へ引き、賞品を隣接の仕切り板１９の間に位置している切換チャンバ１４の中に置き、一番下に位置している仕切り板１９の間には賞品を置かなく、ディスプレイ画面１２により問題を映りだし、キーボード１３により問題に答え、一番目の問題を映りだす時、モータ３９が始動されてねじロッド４０を回転連動させ、ねじ山による連結を通して伸縮ロッド３７を上昇連動させ、この時にラック４１が上昇して平歯車４３を回転連動させ、内ラチェットギヤ４４とラチェットギヤ４５との片方向の噛み合いにより主動傘歯車４６を回転連動させ、歯車の噛み合いにより従動傘歯車４７を回転連動させ、また下側のローラー１７を回転連動させ、伝送ベルト１８により仕切り板１９を回転連動させ、且つ一つの引き出しの間隔に移動させ、一番下の仕切り板１９の間の一つの引き出しの後側の隣接している一つの引き出しの中に位置しているプレゼントを一番下に切り換えて受け止めブロック２８に落下させ、モータ３９が初期の位置に戻るまで反転し、答えが間違えた時、ディスプレイ画面１２には次の問題を映りだし、同時にモータ３９が正方向に回転して次のプレゼントに切り換えてプレゼントを受け止めブロック２８に落下させ、答えが正しい時、モータ３９が逆方向に回転して伸縮ロッド３７を下降連動させ、また下へガイドスライドブロック３５と昇降ブロック２６とを推し動かして下降させ、この時に受け止めブロック２８が下降して賞品を下へ輸送し、受け止めブロック２８の下端面の右端が固定ブロック３１の上端と当接した時に受け止めブロック２８が反転し、賞品が滑り落ちチャンバ３２の中に落ち、また取りチャンバ３３の中に滑り落ち、この時、賞品を持っていくことができる。
【００１６】
本発明の有益な効果は：本発明は構成が簡単で、操作が便利で、本装置は子供の答えにより自動的に賞品で子供を奨励し、おもちゃで遊ぶ形式を利用して子供を励まし、同時に賞品を通して子供の勉強への熱心さを高め、勉強と遊びとをよりよく結びつける。
【００１７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020175104.tif 000003
【図２】
2020175104.tif 000004
【図３】
2020175104.tif 000005
【図４】
2020175104.tif 000006
【図５】
2020175104.tif 000007
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
主体を含み、前記主体の前端面の上側にはディスプレイ画面が固定的に設置され、前記主体の前端面の下側にはキーボードが固定的に設置され、前記ディスプレイ画面の後側には切替装置が設置され、前記切替装置の下側には輸送装置が設置され、前記輸送装置の後側には制御装置が設置され、前記ディスプレイ画面を通じて問題を映りだし、且つ前記キーボードを通じて答えを入力し、父兄はニーズに応じて前記切替装置の中に賞品を置くことができ、一つの問題を解くと前記切替装置が一回作動し、正答であれば相応の賞品が前記輸送装置を通して下へ輸送されて落ち、誤答であれば賞品を次の問題の賞品に切り換え、前記切替装置と前記輸送装置の作動は前記制御装置により制御され、前記切替装置は前記主体の中に設置された切換チャンバを含み、前記切換チャンバの前側には前方に開口した開口チャンバが連通するように設置され、前記開口チャンバの下壁には固定板が固定的に設置され、前記固定板と前記切換チャンバの後壁との間にはローラーが上下対称的に、且つ回転できるように設置され、前記ローラーの間には伝送ベルトが巻き付いており、前記伝送ベルトのうち前記ローラーから離れている一面には均一に分布している仕切り板が固定的に設置され、前記仕切り板が前記切換チャンバを複数個の区域に分けて複数個のプレセントを置き、前記開口チャンバの下壁には止め板チャンバが連通するように設置され、前記止め板チャンバの中には止め板がスライドできるように設置され、前記止め板の下端と前記止め板チャンバの下壁との間には圧縮ばねが固定的に連結され、前記止め板の前端面の上端には取っ手が固定的に連結されており、
前記制御装置が前記切替装置と前記輸送装置とを制御して前記切替装置と前記輸送装置とに賞品の切替と輸送を行わせ、賞品を需要に応じて置くことができ、前記止め板を下へ引くと前記切換チャンバの中に賞品を置け、前記仕切り板が賞品を問題に応じて一番下に輸送することができ、
前記輸送装置は前記切換チャンバの下側に連通するように設置された昇降チャンバを含み、前記昇降チャンバの下側には反転チャンバが連通するように設置され、前記昇降チャンバの中には昇降ブロックがスライドできるように設置され、前記昇降ブロックの下端と前記反転チャンバの下壁との間には耐圧ばねが固定的に連結され、前記昇降チャンバと前記反転チャンバの後側にはガイドスライドチャンバが連通するように設置され、前記ガイドスライドチャンバの中には前記昇降ブロックの後端に固定的に連結されたガイドスライドブロックがスライドできるように設置され、前記昇降ブロックの上側には受け止めブロックが反転できるように設置され、前記受け止めブロックの下端面の左端が前記昇降ブロックの上端面の左端に回転できるように連結され、前記昇降ブロックの中には上方に開口したばねチャンバが設置され、前記受け止めブロックの下端と前記ばねチャンバの下壁との間には反転ばねが固定的に連結され、前記反転チャンバの右壁には固定ブロックが固定的に設置され、前記反転チャンバの左側には滑り落ちチャンバが連通するように設置され、前記滑り落ちチャンバの左側には左方に開口した取りチャンバが連通するように設置されており、
前記受け止めブロックが前記ローラーの中の一番下の賞品を受け止め、前記昇降ブロックが下降して賞品を下へ輸送することができ、
前記制御装置は前記ガイドスライドチャンバの上側に連通するように設置された伸縮チャンバを含み、前記伸縮チャンバの中には下端が前記ガイドスライドブロックと当接できる伸縮ロッドがスライドできるように設置され、前記伸縮ロッドの中には上方に開口したねじ山チャンバが設置され、前記伸縮チャンバの上壁の中にはモータが固定的に設置され、前記モータの下端には前記ねじ山チャンバの中にねじ山により連結されたねじロッドが動力が伝達できるように連結され、前記伸縮ロッドの右端面の中にはラックが固定的に設置され、前記伸縮チャンバの右壁には伝動チャンバが連通するように設置され、前記伝動チャンバの中には前記ラックと噛み合える平歯車が回転できるように設置され、前記平歯車の前端には内ラチェットギヤが固定的に設置され、前記内ラチェットギヤの前端にはラチェットギヤが片方向に噛み合って設置され、前記ラチェットギヤの前端には主動傘歯車が固定的に設置され、前記主動傘歯車の右端には主動傘歯車自体と噛み合う従動傘歯車が設置され、前記従動傘歯車が下側の前記ローラーの左端に動力が伝達できるように連結されており、
前記モータが前記伸縮ロッドを昇降連動させ、且つ前記ローラーの回転又は前記昇降ブロックの昇降を制御することを特徴とする正答なら奨励するデジタルおもちゃ。
【手続補正２】
【補正対象書類名】明細書
【補正対象項目名】全文
【補正方法】変更
【補正の内容】
【発明の詳細な説明】
【技術分野】
【０００１】
本発明はおもちゃ技術分野に関わり、具体的には正答なら奨励するデジタルおもちゃである。
【背景技術】
【０００２】
おもちゃは子供たちに楽しさをもたらすだけではなく、おもちゃを通じて子供の総合能力を高めることもでき、現在、多くのおもちゃが子供の算数能力を鍛えられ、しかし、子供は飽きやすく、そのため、正答なら奨励できるデジタルおもちゃが必要となり、本装置は子供の答え情況により賞品で子供を奨励し、子供の積極性を大いに高め、これにより子供をより忍耐強く遊びながら勉強させることができる。
【先行技術文献】
【特許文献】
【０００３】
【特許文献１】中国特許出願公開第103127722号明細書
【発明の概要】
【発明が解決しようとする課題】
【０００４】
本発明は正答なら奨励するデジタルおもちゃを提供し、既存技術にある上記欠点を解消することを目的とする。
【課題を解決するための手段】
【０００５】
本発明の正答なら奨励するデジタルおもちゃは、主体を含み、前記主体の前端面の上側にはディスプレイ画面が固定的に設置され、前記主体の前端面の下側にはキーボードが固定的に設置され、前記ディスプレイ画面の後側には切替装置が設置され、前記切替装置の下側には輸送装置が設置され、前記輸送装置の後側には制御装置が設置され、前記ディスプレイ画面を通じて問題を映りだし、且つ前記キーボードを通じて答えを入力し、父兄はニーズに応じて前記切替装置の中に賞品を置くことができ、一つの問題を解くと前記切替装置が一回作動し、正答であれば相応の賞品が前記輸送装置を通して下へ輸送されて落ち、誤答であれば賞品を次の問題の賞品に切り換え、前記切替装置と前記輸送装置の作動は前記制御装置により制御され、前記切替装置は前記主体の中に設置された切換チャンバを含み、前記切換チャンバの前側には前方に開口した開口チャンバが連通するように設置され、前記開口チャンバの下壁には固定板が固定的に設置され、前記固定板と前記切換チャンバの後壁との間にはローラーが上下対称的に、且つ回転できるように設置され、前記ローラーの間には伝送ベルトが巻き付いており、前記伝送ベルトのうち前記ローラーから離れている一面には均一に分布している仕切り板が固定的に設置され、前記仕切り板が前記切換チャンバを複数個の区域に分けて複数個のプレセントを置き、前記開口チャンバの下壁には止め板チャンバが連通するように設置され、前記止め板チャンバの中には止め板がスライドできるように設置され、前記止め板の下端と前記止め板チャンバの下壁との間には圧縮ばねが固定的に連結され、前記止め板の前端面の上端には取っ手が固定的に連結されており、
前記制御装置が前記切替装置と前記輸送装置とを制御して前記切替装置と前記輸送装置とに賞品の切替と輸送を行わせ、賞品を需要に応じて置くことができ、前記止め板を下へ引くと前記切換チャンバの中に賞品を置け、前記仕切り板が賞品を問題に応じて一番下に輸送する。
【０００６】
さらなる技術プランには、前記輸送装置は前記切換チャンバの下側に連通するように設置された昇降チャンバを含み、前記昇降チャンバの下側には反転チャンバが連通するように設置され、前記昇降チャンバの中には昇降ブロックがスライドできるように設置され、前記昇降ブロックの下端と前記反転チャンバの下壁との間には耐圧ばねが固定的に連結され、前記昇降チャンバと前記反転チャンバの後側にはガイドスライドチャンバが連通するように設置され、前記ガイドスライドチャンバの中には前記昇降ブロックの後端に固定的に連結されたガイドスライドブロックがスライドできるように設置され、前記昇降ブロックの上側には受け止めブロックが反転できるように設置され、前記受け止めブロックの下端面の左端が前記昇降ブロックの上端面の左端に回転できるように連結され、前記昇降ブロックの中には上方に開口したばねチャンバが設置され、前記受け止めブロックの下端と前記ばねチャンバの下壁との間には反転ばねが固定的に連結され、前記反転チャンバの右壁には固定ブロックが固定的に設置され、前記反転チャンバの左側には滑り落ちチャンバが連通するように設置され、前記滑り落ちチャンバの左側には左方に開口した取りチャンバが連通するように設置されており、
前記受け止めブロックが前記ローラーの中の一番下の賞品を受け止め、前記昇降ブロックが下降して賞品を下へ輸送する。
【０００７】
さらなる技術プランには、前記制御装置は前記ガイドスライドチャンバの上側に連通するように設置された伸縮チャンバを含み、前記伸縮チャンバの中には下端が前記ガイドスライドブロックと当接できる伸縮ロッドがスライドできるように設置され、前記伸縮ロッドの中には上方に開口したねじ山チャンバが設置され、前記伸縮チャンバの上壁の中にはモータが固定的に設置され、前記モータの下端には前記ねじ山チャンバの中にねじ山により連結されたねじロッドが動力が伝達できるように連結され、前記伸縮ロッドの右端面の中にはラックが固定的に設置され、前記伸縮チャンバの右壁には伝動チャンバが連通するように設置され、前記伝動チャンバの中には前記ラックと噛み合える平歯車が回転できるように設置され、前記平歯車の前端には内ラチェットギヤが固定的に設置され、前記内ラチェットギヤの前端にはラチェットギヤが片方向に噛み合って設置され、前記ラチェットギヤの前端には主動傘歯車が固定的に設置され、前記主動傘歯車の右端には主動傘歯車自体と噛み合う従動傘歯車が設置され、前記従動傘歯車が下側の前記ローラーの左端に動力が伝達できるように連結されており、
前記モータが前記伸縮ロッドを昇降連動させ、且つ前記ローラーの回転又は前記昇降ブロックの昇降を制御する。
【発明の効果】
【０００８】
本発明の有益な効果は：本発明は構成が簡単で、操作が便利で、本装置は子供の答えにより自動的に賞品で子供を奨励し、おもちゃで遊ぶ形式を利用して子供を励まし、同時に賞品を通して子供の勉強への熱心さを高め、勉強と遊びとをよりよく結びつける。
【図面の簡単な説明】
【０００９】
【図１】図１は本発明の正答なら奨励するデジタルおもちゃの内部全体構成模式図
【図２】図２は図１の中の「Ａ−Ａ」方向の構成模式図
【図３】図３は図２の中の「Ｂ−Ｂ」方向の構成模式図
【図４】図４は図２の中の「Ｃ」の拡大模式図
【図５】図５は図４の中の「Ｄ−Ｄ」方向の構成模式図
【発明を実施するための形態】
【００１０】
次に図１−５を合わせて本発明を詳しく説明する。意思の疎通に便利なため、後文に出る方位を以下の通りに規定する：後文に出る上下左右前後方向は図１本体の投影関係の上下左右前後方向と一致する。
【００１１】
図１−５を参照し、本発明実施例の正答なら奨励するデジタルおもちゃは、主体１１を含み、前記主体１１の前端面の上側にはディスプレイ画面１２が固定的に設置され、前記主体１１の前端面の下側にはキーボード１３が固定的に設置され、前記ディスプレイ画面１２の後側には切替装置１０１が設置され、前記切替装置１０１の下側には輸送装置１０２が設置され、前記輸送装置１０２の後側には制御装置１０３が設置され、前記ディスプレイ画面１２を通じて問題を映りだし、且つ前記キーボード１３を通じて答えを入力し、父兄はニーズに応じて前記切替装置１０１の中に賞品を置くことができ、一つの問題を解くと前記切替装置１０１が一回作動し、正答であれば相応の賞品が前記輸送装置１０２を通して下へ輸送されて落ち、誤答であれば賞品を次の問題の賞品に切り換え、前記切替装置１０１と前記輸送装置１０２の作動は前記制御装置１０３により制御され、前記切替装置１０１は前記主体１１の中に設置された切換チャンバ１４を含み、前記切換チャンバ１４の前側には前方に開口した開口チャンバ１５が連通するように設置され、前記開口チャンバ１５の下壁には固定板１６が固定的に設置され、前記固定板１６と前記切換チャンバ１４の後壁との間にはローラー１７が上下対称的に、且つ回転できるように設置され、前記ローラー１７の間には伝送ベルト１８が巻き付いており、前記伝送ベルト１８のうち前記ローラー１７から離れている一面には均一に分布している仕切り板１９が固定的に設置され、前記仕切り板１９が前記切換チャンバ１４を複数個の区域に分けて複数個のプレセントを置き、前記開口チャンバ１５の下壁には止め板チャンバ２０が連通するように設置され、前記止め板チャンバ２０の中には止め板２１がスライドできるように設置され、前記止め板２１の下端と前記止め板チャンバ２０の下壁との間には圧縮ばね２２が固定的に連結され、前記止め板２１の前端面の上端には取っ手２３が固定的に連結されており、前記制御装置１０３が前記切替装置１０１と前記輸送装置１０２とを制御して前記切替装置１０１と前記輸送装置１０２とに賞品の切替と輸送を行わせ、賞品を需要に応じて置くことができ、前記止め板２１を下へ引くと前記切換チャンバ１４の中に賞品を置け、前記仕切り板１９が賞品を問題に応じて一番下に輸送する。
【００１２】
有益なように、前記輸送装置１０２は前記切換チャンバ１４の下側に連通するように設置された昇降チャンバ２４を含み、前記昇降チャンバ２４の下側には反転チャンバ２５が連通するように設置され、前記昇降チャンバ２４の中には昇降ブロック２６がスライドできるように設置され、前記昇降ブロック２６の下端と前記反転チャンバ２５の下壁との間には耐圧ばね２７が固定的に連結され、前記昇降チャンバ２４と前記反転チャンバ２５の後側にはガイドスライドチャンバ３４が連通するように設置され、前記ガイドスライドチャンバ３４の中には前記昇降ブロック２６の後端に固定的に連結されたガイドスライドブロック３５がスライドできるように設置され、前記昇降ブロック２６の上側には受け止めブロック２８が反転できるように設置され、前記受け止めブロック２８の下端面の左端が前記昇降ブロック２６の上端面の左端に回転できるように連結され、前記昇降ブロック２６の中には上方に開口したばねチャンバ２９が設置され、前記受け止めブロック２８の下端と前記ばねチャンバ２９の下壁との間には反転ばね３０が固定的に連結され、前記反転チャンバ２５の右壁には固定ブロック３１が固定的に設置され、前記反転チャンバ２５の左側には滑り落ちチャンバ３２が連通するように設置され、前記滑り落ちチャンバ３２の左側には左方に開口した取りチャンバ３３が連通するように設置されており、
前記受け止めブロック２８が前記ローラー１７の中の一番下の賞品を受け止め、前記昇降ブロック２６が下降して賞品を下へ輸送する。
【００１３】
有益なように、前記制御装置１０３は前記ガイドスライドチャンバ３４の上側に連通するように設置された伸縮チャンバ３６を含み、前記伸縮チャンバ３６の中には下端が前記ガイドスライドブロック３５と当接できる伸縮ロッド３７がスライドできるように設置され、前記伸縮ロッド３７の中には上方に開口したねじ山チャンバ３８が設置され、前記伸縮チャンバ３６の上壁の中にはモータ３９が固定的に設置され、前記モータ３９の下端には前記ねじ山チャンバ３８の中にねじ山により連結されたねじロッド４０が動力が伝達できるように連結され、前記伸縮ロッド３７の右端面の中にはラック４１が固定的に設置され、前記伸縮チャンバ３６の右壁には伝動チャンバ４２が連通するように設置され、前記伝動チャンバ４２の中には前記ラック４１と噛み合える平歯車４３が回転できるように設置され、前記平歯車４３の前端には内ラチェットギヤ４４が固定的に設置され、前記内ラチェットギヤ４４の前端にはラチェットギヤ４５が片方向に噛み合って設置され、前記ラチェットギヤ４５の前端には主動傘歯車４６が固定的に設置され、前記主動傘歯車４６の右端には主動傘歯車４６自体と噛み合う従動傘歯車４７が設置され、前記従動傘歯車４７が下側の前記ローラー１７の左端に動力が伝達できるように連結されており、
前記モータ３９が前記伸縮ロッド３７を昇降連動させ、且つ前記ローラー１７の回転又は前記昇降ブロック２６の昇降を制御する。
【００１４】
初期状態にある時、伸縮ロッド３７が中間位置に位置しており、昇降ブロック２６が上限位置に位置しており、止め板２１により開口チャンバ１５が閉鎖されている。
【００１５】
使用する時、取っ手２３により止め板２１を下へ引き、賞品を隣接の仕切り板１９の間に位置している切換チャンバ１４の中に置き、一番下に位置している仕切り板１９の間には賞品を置かなく、ディスプレイ画面１２により問題を映りだし、キーボード１３により問題に答え、一番目の問題を映りだす時、モータ３９が始動されてねじロッド４０を回転連動させ、ねじ山による連結を通して伸縮ロッド３７を上昇連動させ、この時にラック４１が上昇して平歯車４３を回転連動させ、内ラチェットギヤ４４とラチェットギヤ４５との片方向の噛み合いにより主動傘歯車４６を回転連動させ、歯車の噛み合いにより従動傘歯車４７を回転連動させ、また下側のローラー１７を回転連動させ、伝送ベルト１８により仕切り板１９を回転連動させ、且つ一つの引き出しの間隔に移動させ、一番下の仕切り板１９の間の一つの引き出しの後側の隣接している一つの引き出しの中に位置している賞品を一番下に切り換えて受け止めブロック２８に落下させ、モータ３９が初期の位置に戻るまで反転し、答えが間違えた時、ディスプレイ画面１２には次の問題を映りだし、同時にモータ３９が正方向に回転して次の賞品に切り換えて賞品を受け止めブロック２８に落下させ、答えが正しい時、モータ３９が逆方向に回転して伸縮ロッド３７を下降連動させ、また下へガイドスライドブロック３５と昇降ブロック２６とを推し動かして下降させ、この時に受け止めブロック２８が下降して賞品を下へ輸送し、受け止めブロック２８の下端面の右端が固定ブロック３１の上端と当接した時に受け止めブロック２８が反転し、賞品が滑り落ちチャンバ３２の中に落ち、また取りチャンバ３３の中に滑り落ち、この時、賞品を持っていくことができる。
【００１６】
本発明の有益な効果は：本発明は構成が簡単で、操作が便利で、本装置は子供の答えにより自動的に賞品で子供を奨励し、おもちゃで遊ぶ形式を利用して子供を励まし、同時に賞品を通して子供の勉強への熱心さを高め、勉強と遊びとをよりよく結びつける。
【００１７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
主体を含み、前記主体の前端面の上側にはディスプレイ画面が固定的に設置され、前記主体の前端面の下側にはキーボードが固定的に設置され、前記ディスプレイ画面の後側には切替装置が設置され、前記切替装置の下側には輸送装置が設置され、前記輸送装置の後側には制御装置が設置され、前記ディスプレイ画面を通じて問題を映りだし、且つ前記キーボードを通じて答えを入力し、父兄はニーズに応じて前記切替装置の中に賞品を置くことができ、一つの問題を解くと前記切替装置が一回作動し、正答であれば相応の賞品が前記輸送装置を通して下へ輸送されて落ち、誤答であれば賞品を次の問題の賞品に切り換え、前記切替装置と前記輸送装置の作動は前記制御装置により制御され、前記切替装置は前記主体の中に設置された切換チャンバを含み、前記切換チャンバの前側には前方に開口した開口チャンバが連通するように設置され、前記開口チャンバの下壁には固定板が固定的に設置され、前記固定板と前記切換チャンバの後壁との間にはローラーが上下対称的に、且つ回転できるように設置され、前記ローラーの間には伝送ベルトが巻き付いており、前記伝送ベルトのうち前記ローラーから離れている一面には均一に分布している仕切り板が固定的に設置され、前記仕切り板が前記切換チャンバを複数個の区域に分けて複数個の賞品を置き、前記開口チャンバの下壁には止め板チャンバが連通するように設置され、前記止め板チャンバの中には止め板がスライドできるように設置され、前記止め板の下端と前記止め板チャンバの下壁との間には圧縮ばねが固定的に連結され、前記止め板の前端面の上端には取っ手が固定的に連結されており、
前記制御装置が前記切替装置と前記輸送装置とを制御して前記切替装置と前記輸送装置とに賞品の切替と輸送を行わせ、賞品を需要に応じて置くことができ、前記止め板を下へ引くと前記切換チャンバの中に賞品を置け、前記仕切り板が賞品を問題に応じて一番下に輸送することができ、
前記輸送装置は前記切換チャンバの下側に連通するように設置された昇降チャンバを含み、前記昇降チャンバの下側には反転チャンバが連通するように設置され、前記昇降チャンバの中には昇降ブロックがスライドできるように設置され、前記昇降ブロックの下端と前記反転チャンバの下壁との間には耐圧ばねが固定的に連結され、前記昇降チャンバと前記反転チャンバの後側にはガイドスライドチャンバが連通するように設置され、前記ガイドスライドチャンバの中には前記昇降ブロックの後端に固定的に連結されたガイドスライドブロックがスライドできるように設置され、前記昇降ブロックの上側には受け止めブロックが反転できるように設置され、前記受け止めブロックの下端面の左端が前記昇降ブロックの上端面の左端に回転できるように連結され、前記昇降ブロックの中には上方に開口したばねチャンバが設置され、前記受け止めブロックの下端と前記ばねチャンバの下壁との間には反転ばねが固定的に連結され、前記反転チャンバの右壁には固定ブロックが固定的に設置され、前記反転チャンバの左側には滑り落ちチャンバが連通するように設置され、前記滑り落ちチャンバの左側には左方に開口した取りチャンバが連通するように設置されており、
前記受け止めブロックが前記ローラーの中の一番下の賞品を受け止め、前記昇降ブロックが下降して賞品を下へ輸送することができ、
前記制御装置は前記ガイドスライドチャンバの上側に連通するように設置された伸縮チャンバを含み、前記伸縮チャンバの中には下端が前記ガイドスライドブロックと当接できる伸縮ロッドがスライドできるように設置され、前記伸縮ロッドの中には上方に開口したねじ山チャンバが設置され、前記伸縮チャンバの上壁の中にはモータが固定的に設置され、前記モータの下端には前記ねじ山チャンバの中にねじ山により連結されたねじロッドが動力が伝達できるように連結され、前記伸縮ロッドの右端面の中にはラックが固定的に設置され、前記伸縮チャンバの右壁には伝動チャンバが連通するように設置され、前記伝動チャンバの中には前記ラックと噛み合える平歯車が回転できるように設置され、前記平歯車の前端には内ラチェットギヤが固定的に設置され、前記内ラチェットギヤの前端にはラチェットギヤが片方向に噛み合って設置され、前記ラチェットギヤの前端には主動傘歯車が固定的に設置され、前記主動傘歯車の右端には主動傘歯車自体と噛み合う従動傘歯車が設置され、前記従動傘歯車が下側の前記ローラーの左端に動力が伝達できるように連結されており、
前記モータが前記伸縮ロッドを昇降連動させ、且つ前記ローラーの回転又は前記昇降ブロックの昇降を制御することを特徴とする正答なら奨励するデジタルおもちゃ。
【手続補正２】
【補正対象書類名】明細書
【補正対象項目名】全文
【補正方法】変更
【補正の内容】
【発明の詳細な説明】
【技術分野】
【０００１】
本発明はおもちゃ技術分野に関わり、具体的には正答なら奨励するデジタルおもちゃである。
【背景技術】
【０００２】
おもちゃは子供たちに楽しさをもたらすだけではなく、おもちゃを通じて子供の総合能力を高めることもでき、現在、多くのおもちゃが子供の算数能力を鍛えられ、しかし、子供は飽きやすく、そのため、正答なら奨励できるデジタルおもちゃが必要となり、本装置は子供の答え情況により賞品で子供を奨励し、子供の積極性を大いに高め、これにより子供をより忍耐強く遊びながら勉強させることができる。
【先行技術文献】
【特許文献】
【０００３】
【特許文献１】中国特許出願公開第103127722号明細書
【発明の概要】
【発明が解決しようとする課題】
【０００４】
本発明は正答なら奨励するデジタルおもちゃを提供し、既存技術にある上記欠点を解消することを目的とする。
【課題を解決するための手段】
【０００５】
本発明の正答なら奨励するデジタルおもちゃは、主体を含み、前記主体の前端面の上側にはディスプレイ画面が固定的に設置され、前記主体の前端面の下側にはキーボードが固定的に設置され、前記ディスプレイ画面の後側には切替装置が設置され、前記切替装置の下側には輸送装置が設置され、前記輸送装置の後側には制御装置が設置され、前記ディスプレイ画面を通じて問題を映りだし、且つ前記キーボードを通じて答えを入力し、父兄はニーズに応じて前記切替装置の中に賞品を置くことができ、一つの問題を解くと前記切替装置が一回作動し、正答であれば相応の賞品が前記輸送装置を通して下へ輸送されて落ち、誤答であれば賞品を次の問題の賞品に切り換え、前記切替装置と前記輸送装置の作動は前記制御装置により制御され、前記切替装置は前記主体の中に設置された切換チャンバを含み、前記切換チャンバの前側には前方に開口した開口チャンバが連通するように設置され、前記開口チャンバの下壁には固定板が固定的に設置され、前記固定板と前記切換チャンバの後壁との間にはローラーが上下対称的に、且つ回転できるように設置され、前記ローラーの間には伝送ベルトが巻き付いており、前記伝送ベルトのうち前記ローラーから離れている一面には均一に分布している仕切り板が固定的に設置され、前記仕切り板が前記切換チャンバを複数個の区域に分けて複数個の賞品を置き、前記開口チャンバの下壁には止め板チャンバが連通するように設置され、前記止め板チャンバの中には止め板がスライドできるように設置され、前記止め板の下端と前記止め板チャンバの下壁との間には圧縮ばねが固定的に連結され、前記止め板の前端面の上端には取っ手が固定的に連結されており、
前記制御装置が前記切替装置と前記輸送装置とを制御して前記切替装置と前記輸送装置とに賞品の切替と輸送を行わせ、賞品を需要に応じて置くことができ、前記止め板を下へ引くと前記切換チャンバの中に賞品を置け、前記仕切り板が賞品を問題に応じて一番下に輸送する。
【０００６】
さらなる技術プランには、前記輸送装置は前記切換チャンバの下側に連通するように設置された昇降チャンバを含み、前記昇降チャンバの下側には反転チャンバが連通するように設置され、前記昇降チャンバの中には昇降ブロックがスライドできるように設置され、前記昇降ブロックの下端と前記反転チャンバの下壁との間には耐圧ばねが固定的に連結され、前記昇降チャンバと前記反転チャンバの後側にはガイドスライドチャンバが連通するように設置され、前記ガイドスライドチャンバの中には前記昇降ブロックの後端に固定的に連結されたガイドスライドブロックがスライドできるように設置され、前記昇降ブロックの上側には受け止めブロックが反転できるように設置され、前記受け止めブロックの下端面の左端が前記昇降ブロックの上端面の左端に回転できるように連結され、前記昇降ブロックの中には上方に開口したばねチャンバが設置され、前記受け止めブロックの下端と前記ばねチャンバの下壁との間には反転ばねが固定的に連結され、前記反転チャンバの右壁には固定ブロックが固定的に設置され、前記反転チャンバの左側には滑り落ちチャンバが連通するように設置され、前記滑り落ちチャンバの左側には左方に開口した取りチャンバが連通するように設置されており、
前記受け止めブロックが前記ローラーの中の一番下の賞品を受け止め、前記昇降ブロックが下降して賞品を下へ輸送する。
【０００７】
さらなる技術プランには、前記制御装置は前記ガイドスライドチャンバの上側に連通するように設置された伸縮チャンバを含み、前記伸縮チャンバの中には下端が前記ガイドスライドブロックと当接できる伸縮ロッドがスライドできるように設置され、前記伸縮ロッドの中には上方に開口したねじ山チャンバが設置され、前記伸縮チャンバの上壁の中にはモータが固定的に設置され、前記モータの下端には前記ねじ山チャンバの中にねじ山により連結されたねじロッドが動力が伝達できるように連結され、前記伸縮ロッドの右端面の中にはラックが固定的に設置され、前記伸縮チャンバの右壁には伝動チャンバが連通するように設置され、前記伝動チャンバの中には前記ラックと噛み合える平歯車が回転できるように設置され、前記平歯車の前端には内ラチェットギヤが固定的に設置され、前記内ラチェットギヤの前端にはラチェットギヤが片方向に噛み合って設置され、前記ラチェットギヤの前端には主動傘歯車が固定的に設置され、前記主動傘歯車の右端には主動傘歯車自体と噛み合う従動傘歯車が設置され、前記従動傘歯車が下側の前記ローラーの左端に動力が伝達できるように連結されており、
前記モータが前記伸縮ロッドを昇降連動させ、且つ前記ローラーの回転又は前記昇降ブロックの昇降を制御する。
【発明の効果】
【０００８】
本発明の有益な効果は：本発明は構成が簡単で、操作が便利で、本装置は子供の答えにより自動的に賞品で子供を奨励し、おもちゃで遊ぶ形式を利用して子供を励まし、同時に賞品を通して子供の勉強への熱心さを高め、勉強と遊びとをよりよく結びつける。
【図面の簡単な説明】
【０００９】
【図１】図１は本発明の正答なら奨励するデジタルおもちゃの内部全体構成模式図
【図２】図２は図１の中の「Ａ−Ａ」方向の構成模式図
【図３】図３は図２の中の「Ｂ−Ｂ」方向の構成模式図
【図４】図４は図２の中の「Ｃ」の拡大模式図
【図５】図５は図４の中の「Ｄ−Ｄ」方向の構成模式図
【発明を実施するための形態】
【００１０】
次に図１−５を合わせて本発明を詳しく説明する。意思の疎通に便利なため、後文に出る方位を以下の通りに規定する：後文に出る上下左右前後方向は図１本体の投影関係の上下左右前後方向と一致する。
【００１１】
図１−５を参照し、本発明実施例の正答なら奨励するデジタルおもちゃは、主体１１を含み、前記主体１１の前端面の上側にはディスプレイ画面１２が固定的に設置され、前記主体１１の前端面の下側にはキーボード１３が固定的に設置され、前記ディスプレイ画面１２の後側には切替装置１０１が設置され、前記切替装置１０１の下側には輸送装置１０２が設置され、前記輸送装置１０２の後側には制御装置１０３が設置され、前記ディスプレイ画面１２を通じて問題を映りだし、且つ前記キーボード１３を通じて答えを入力し、父兄はニーズに応じて前記切替装置１０１の中に賞品を置くことができ、一つの問題を解くと前記切替装置１０１が一回作動し、正答であれば相応の賞品が前記輸送装置１０２を通して下へ輸送されて落ち、誤答であれば賞品を次の問題の賞品に切り換え、前記切替装置１０１と前記輸送装置１０２の作動は前記制御装置１０３により制御され、前記切替装置１０１は前記主体１１の中に設置された切換チャンバ１４を含み、前記切換チャンバ１４の前側には前方に開口した開口チャンバ１５が連通するように設置され、前記開口チャンバ１５の下壁には固定板１６が固定的に設置され、前記固定板１６と前記切換チャンバ１４の後壁との間にはローラー１７が上下対称的に、且つ回転できるように設置され、前記ローラー１７の間には伝送ベルト１８が巻き付いており、前記伝送ベルト１８のうち前記ローラー１７から離れている一面には均一に分布している仕切り板１９が固定的に設置され、前記仕切り板１９が前記切換チャンバ１４を複数個の区域に分けて複数個の賞品を置き、前記開口チャンバ１５の下壁には止め板チャンバ２０が連通するように設置され、前記止め板チャンバ２０の中には止め板２１がスライドできるように設置され、前記止め板２１の下端と前記止め板チャンバ２０の下壁との間には圧縮ばね２２が固定的に連結され、前記止め板２１の前端面の上端には取っ手２３が固定的に連結されており、前記制御装置１０３が前記切替装置１０１と前記輸送装置１０２とを制御して前記切替装置１０１と前記輸送装置１０２とに賞品の切替と輸送を行わせ、賞品を需要に応じて置くことができ、前記止め板２１を下へ引くと前記切換チャンバ１４の中に賞品を置け、前記仕切り板１９が賞品を問題に応じて一番下に輸送する。
【００１２】
有益なように、前記輸送装置１０２は前記切換チャンバ１４の下側に連通するように設置された昇降チャンバ２４を含み、前記昇降チャンバ２４の下側には反転チャンバ２５が連通するように設置され、前記昇降チャンバ２４の中には昇降ブロック２６がスライドできるように設置され、前記昇降ブロック２６の下端と前記反転チャンバ２５の下壁との間には耐圧ばね２７が固定的に連結され、前記昇降チャンバ２４と前記反転チャンバ２５の後側にはガイドスライドチャンバ３４が連通するように設置され、前記ガイドスライドチャンバ３４の中には前記昇降ブロック２６の後端に固定的に連結されたガイドスライドブロック３５がスライドできるように設置され、前記昇降ブロック２６の上側には受け止めブロック２８が反転できるように設置され、前記受け止めブロック２８の下端面の左端が前記昇降ブロック２６の上端面の左端に回転できるように連結され、前記昇降ブロック２６の中には上方に開口したばねチャンバ２９が設置され、前記受け止めブロック２８の下端と前記ばねチャンバ２９の下壁との間には反転ばね３０が固定的に連結され、前記反転チャンバ２５の右壁には固定ブロック３１が固定的に設置され、前記反転チャンバ２５の左側には滑り落ちチャンバ３２が連通するように設置され、前記滑り落ちチャンバ３２の左側には左方に開口した取りチャンバ３３が連通するように設置されており、
前記受け止めブロック２８が前記ローラー１７の中の一番下の賞品を受け止め、前記昇降ブロック２６が下降して賞品を下へ輸送する。
【００１３】
有益なように、前記制御装置１０３は前記ガイドスライドチャンバ３４の上側に連通するように設置された伸縮チャンバ３６を含み、前記伸縮チャンバ３６の中には下端が前記ガイドスライドブロック３５と当接できる伸縮ロッド３７がスライドできるように設置され、前記伸縮ロッド３７の中には上方に開口したねじ山チャンバ３８が設置され、前記伸縮チャンバ３６の上壁の中にはモータ３９が固定的に設置され、前記モータ３９の下端には前記ねじ山チャンバ３８の中にねじ山により連結されたねじロッド４０が動力が伝達できるように連結され、前記伸縮ロッド３７の右端面の中にはラック４１が固定的に設置され、前記伸縮チャンバ３６の右壁には伝動チャンバ４２が連通するように設置され、前記伝動チャンバ４２の中には前記ラック４１と噛み合える平歯車４３が回転できるように設置され、前記平歯車４３の前端には内ラチェットギヤ４４が固定的に設置され、前記内ラチェットギヤ４４の前端にはラチェットギヤ４５が片方向に噛み合って設置され、前記ラチェットギヤ４５の前端には主動傘歯車４６が固定的に設置され、前記主動傘歯車４６の右端には主動傘歯車４６自体と噛み合う従動傘歯車４７が設置され、前記従動傘歯車４７が下側の前記ローラー１７の左端に動力が伝達できるように連結されており、
前記モータ３９が前記伸縮ロッド３７を昇降連動させ、且つ前記ローラー１７の回転又は前記昇降ブロック２６の昇降を制御する。
【００１４】
初期状態にある時、伸縮ロッド３７が中間位置に位置しており、昇降ブロック２６が上限位置に位置しており、止め板２１により開口チャンバ１５が閉鎖されている。
【００１５】
使用する時、取っ手２３により止め板２１を下へ引き、賞品を隣接の仕切り板１９の間に位置している切換チャンバ１４の中に置き、一番下に位置している仕切り板１９の間には賞品を置かなく、ディスプレイ画面１２により問題を映りだし、キーボード１３により問題に答え、一番目の問題を映りだす時、モータ３９が始動されてねじロッド４０を回転連動させ、ねじ山による連結を通して伸縮ロッド３７を上昇連動させ、この時にラック４１が上昇して平歯車４３を回転連動させ、内ラチェットギヤ４４とラチェットギヤ４５との片方向の噛み合いにより主動傘歯車４６を回転連動させ、歯車の噛み合いにより従動傘歯車４７を回転連動させ、また下側のローラー１７を回転連動させ、伝送ベルト１８により仕切り板１９を回転連動させ、且つ一つの引き出しの間隔に移動させ、一番下の仕切り板１９の間の一つの引き出しの後側の隣接している一つの引き出しの中に位置している賞品を一番下に切り換えて受け止めブロック２８に落下させ、モータ３９が初期の位置に戻るまで反転し、答えが間違えた時、ディスプレイ画面１２には次の問題を映りだし、同時にモータ３９が正方向に回転して次の賞品に切り換えて賞品を受け止めブロック２８に落下させ、答えが正しい時、モータ３９が逆方向に回転して伸縮ロッド３７を下降連動させ、また下へガイドスライドブロック３５と昇降ブロック２６とを推し動かして下降させ、この時に受け止めブロック２８が下降して賞品を下へ輸送し、受け止めブロック２８の下端面の右端が固定ブロック３１の上端と当接した時に受け止めブロック２８が反転し、賞品が滑り落ちチャンバ３２の中に落ち、また取りチャンバ３３の中に滑り落ち、この時、賞品を持っていくことができる。
【００１６】
本発明の有益な効果は：本発明は構成が簡単で、操作が便利で、本装置は子供の答えにより自動的に賞品で子供を奨励し、おもちゃで遊ぶ形式を利用して子供を励まし、同時に賞品を通して子供の勉強への熱心さを高め、勉強と遊びとをよりよく結びつける。
【００１７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。